【手続補正書】
【提出日】平成18年8月29日(2006.8.29)
【手続補正１】
【補正対象書類名】明細書
【補正対象項目名】特許請求の範囲
【補正方法】変更
【補正の内容】
【特許請求の範囲】
【請求項１】  軸の軸線の周りで回転し得るように軸に接続される軽量で多エネルギ貯蔵のフライホイールにおいて、
（ａ）全体として円筒状の外面および内面を有する、複合材料で出来た環状ロータと、
（ｂ）全体として環状であり且つ前記軸の周りに配置された、複合材料で出来た相互接続面ディスクであって、前記ロータの内面に接着された外面と、全体として円筒状の内面とを有する相互接続面ディスクと、
（ｃ）軸の軸線に対して全体として垂直に伸長する垂直な中心線に関して両側に配置された殻体状のハブ部分を有するハブであって、前記ハブ部分の各々が、前記軸に係合する継手を有し、前記ハブ部分の各々が、フライホイールの回転の軸線の周りを全体として同心状に伸長するヒンジであって全体として半円の断面形状を有するヒンジまで、回転の軸線に対して鋭角な角度にて全体として半径方向外方に拡がる第一の面と、前記ヒンジから前記垂直な中心線に向けて収斂し且つ前記軸の軸線から半径方向に隔てられたフープにて終わる第二の面とを有するハブと、
を備え、
（ｄ）前記フープが、前記相互接続面ディスクの内面に固着された、全体として円筒状の外面を有し、これにより、ある速度での回転時、前記ハブ部分が全体として平坦となり、回転の軸線に対して垂直な位置へと前記ハブ部分の少なくとも大部分が近付くとともに、前記ハブ部分の半径方向寸法が増大し、互いに協働して前記フープの正味軸方向動作を実質的に無くし、半径方向に関して実質的に応力無しの状態にするようになされている、フライホイール。
【請求項２】  請求項１のフライホイールにおいて、前記鋭角な角度が２０°乃至６０°の範囲にある、フライホイール。
【請求項３】  請求項１のフライホイールにおいて、前記ハブ部分が鋼製である、フライホイール。
【請求項４】  請求項１のフライホイールにおいて、ハブの直径対ロータの外径の比が約２対１である、フライホイール。
【請求項５】  請求項１のフライホイールにおいて、前記相互接続面ディスク及びロータが、フィラメント巻きした複合マトリックス構造体を備える、フライホイール。
【請求項６】  請求項５のフライホイールにおいて、前記複合構造体がグラファイトファイバ及びシアン塩酸物である、フライホイール。
【請求項７】  請求項５のフライホイールにおいて、前記構造体が周方向及び軸方向の双方に付与されたプライを含む、フライホイール。
【請求項８】  軸の軸線の周りで回転し得るように軸に接続される軽量で多エネルギ貯蔵のフライホイールにおいて、
（ａ）全体として円筒状の外面および内面を有する、複合材料で出来た環状ロータと、
（ｂ）全体として環状であり且つ前記軸の周りに配置された、複合材料で出来た相互接続面ディスクであって、前記ロータの内面に接着された外面と、全体として円筒状の内面とを有する相互接続面ディスクと、
（ｃ）軸の軸線に対して全体として垂直に伸長する垂直な中心線に対し両側に配置されたハブ部分を有するハブであって、前記ハブ部分の各々が、前記軸に係合する継手を有し、前記ハブ部分の各々が、
（ｉ）回転の軸線に関して全体として対称である第一の円錐形殻体であって、フライホイールの回転の軸線の周りを全体として同心状に伸長するヒンジにして全体として半円の断面形状を有するヒンジから鋭角な角度にて全体として半径方向外方に拡がる第一の円錐形殻体と、
（ｉｉ）回転の軸線に関して全体として対称である第二の円錐形殻体であって、前記ヒンジから負の鋭角な角度にて半径方向内方に収斂し前記継手にて終わる第二の円錐形殻体と、を備え、
ある速度での回転時、前記円錐形殻体が全体として平坦となり、回転の軸線に対して垂直な位置へと前記円錐形殻体の少なくとも大部分が近付くとともに、前記円錐形殻体が前記フープの回転の軸線から垂直方向に沿って半径方向に増大し、前記第一および第二の円錐形殻体が、前記軸の軸線に平行な方向で互いに反対方向に作用するほぼ等しい大きさの動作を行い、この動作が互いに協働して前記フープの正味軸方向動作を実質的に無くし、半径方向に関して実質的に大きな応力無しの状態にするようになされており、
（ｄ）前記フープは、前記相互接続面ディスクの内面に固着された、全体として円筒状の外面と、全体として円筒状の内面とを有し、前記フープの前記内面の直径と前記外面の直径との比は、前記フープが前記フライホイールの回転の軸線の周りをある速度で回転する時、前記第一および第二の円錐形殻体が遠心力により変形した後、前記フープが、前記ハブ部分の外方フランジの最外方半径位置に実質的に等しい径まで膨張するようになされており、
（ｅ）前記フライホイールがある速度で回転する時に前記第一および第二の円錐形殻体の接合部において相対回転が生ずることにより、前記第一および第二の円錐形殻体が互いに向き合うように平坦となる動作に対して抵抗しようとする傾向が打ち消されるほど、半円の断面形状を有する前記ヒンジは十分な可撓性を有しており、
（ｆ）複合材料で出来た前記相互接続面ディスクは、前記フープの円筒状の外面にて適度の半径方向圧縮応力を生じさせるのに十分な剛性を有しており、また、前記相互接続面ディスクは、前記環状のロータの円筒状の内面にて半径方向に関して実質的に応力無しの状態を生じさせるような外径寸法を有している、フライホイール。
【請求項９】  軸の軸線の周りで回転し得るように軸に接続すべき軽量で多エネルギ貯蔵のフライホイールにおいて、
（ａ）全体として円筒状の外面および内面を有する、複合材料で出来た環状ロータと、
（ｂ）全体として環状であり且つ前記軸の周りに配置された、複合材料で出来た相互接続面ディスクであって、前記ロータの内面に接着された外面と、全体として円筒状の内面とを有する相互接続面ディスクと、
（ｃ）前記軸の軸線に対して全体として垂直に伸長する垂直な中心線に関して両側に配置され且つ互いに当接する関係にある殻体を有するハブであって、前記殻体の各々が、前記軸に係合する継手と、前記フライホイールの回転の軸線の周りを全体として同心状に伸長するヒンジであって全体として半円の断面形状を有するヒンジに向かって鋭角な角度にて全体として半径方向外方に拡がる第一の面と、前記ヒンジから前記垂直な中心線に向けて収斂し且つフープにて終わる第二の面とを有するハブと、
を備え、
（ｄ）前記フープが、前記相互接続面ディスクの前記内面に固着された全体として円筒状の外面を有し、これにより、前記軸がある速度で回転したとき、前記殻体が全体として平坦となり、回転の軸線に対して垂直な位置へと前記殻体の少なくとも大部分が近付くとともに、前記殻体が半径方向に増大し、互いに協働して前記フープの正味軸方向動作を実質的に無くし、半径方向に関して実質的に応力無しの状態にするようになされている、フライホイール。
【請求項１０】  請求項９のフライホイールにおいて、前記鋭角な角度が２０°乃至６０°の範囲にある、フライホイール。
【請求項１１】  請求項９のフライホイールにおいて、前記相互接続面ディスク及び前記ロータが、フィラメント巻きしたマトリックス構造体を備える、フライホイール。
【請求項１２】  軸の軸線の周りで回転し得るように軸に接続される軽量で多エネルギ貯蔵のフライホイールにおいて、
（ａ）外面および内面を有する、複合材料で出来た環状ロータと、
（ｂ）全体として環状であり且つ前記軸の周りに配置された、複合材料で出来た相互接続面ディスクであって、前記ロータの前記内面に接着された外面と、全体として円筒状の内面とを有する相互接続面ディスクと、
（ｃ）前記軸の軸線に対して全体として垂直に伸長する垂直な中心線に関して両側に配置された殻体を有する膨張ハブであって、前記殻体の各々が、前記軸に係合する継手手段と、前記軸線に関して同心のヒンジまで伸長する全体として円錐形の外面と、前記ヒンジから前記継手手段まで伸長する円錐形の内壁とを有する膨張ハブと、
を備え、
（ｄ）前記殻体が、前記相互接続面ディスクの前記内面に固着された全体として円筒状の外面を有し、これにより、回転したとき、前記殻体が、前記ヒンジにて撓んで独立的に平坦となり、前記相互接続面ディスクに圧縮力を付与するように膨張し、その結果、実質的に応力無しの状態にするようになされている、フライホイール。
【請求項１３】  軸の軸線の周りで回転し得るように軸に接続される軽量で多エネルギ貯蔵のフライホイールにおいて、
（ａ）全体として円筒状の外面および内面を有する、複合材料で出来た全体として円筒状の環状ロータと、
（ｂ）各々が全体として環状であり且つ前記軸の周りに互いに隔たった関係にて配置された、複合材料で出来た少なくとも２つの相互接続面ディスクであって、各々が、前記ロータの内面に接着された外面と、全体として円筒状の内面とを有する相互接続面ディスクと、
（ｃ）前記ディスクの各々と関係したハブであって、各々が、前記軸の軸線に対して全体として垂直に伸長する垂直な中心線に関して両側に配置された殻体状のハブ部分を有するハブと、を備え、前記ハブ部分の各々が、前記軸に係合し且つ該軸と同心状である継手手段を有し、前記ハブ部分の各々が、半円の断面形状を有するヒンジまで、前記軸の軸線に対して鋭角な角度にて全体として半径方向外方に拡がる第一の面と、前記ヒンジから前記垂直な中心線に向けて収斂し且つ前記軸の軸線から半径方向に隔てられたフープにて終わる第二の面とを有し、
（ｄ）前記フープが、前記相互接続面ディスクの前記内面に固着された、全体として円筒状の外面を有し、これにより、ある速度での回転時、前記ハブ部分が全体として平坦となり、回転の軸線に対して垂直な位置へと前記ハブ部分の少なくとも大部分が近付くとともに、前記ハブ部分の半径方向寸法が増大し、互いに協働して前記フープの正味軸方向動作を実質的に無くし、半径方向に関して実質的に応力無しの状態にするようになされている、フライホイール。